(57)【要約】      （修正有）【課題】播種機によって播種と覆土がされた後、鎮圧ローラによって平坦に鎮圧されると同時に畦上の中央線に沿って浅く細い凹型の溝を成型する器具を該鎮圧ローラに嵌め込み、種子周辺が局所的に強く鎮圧され種子と土壌の密着性及び集水性が高められ、発芽の促進と出芽後の稚苗期を凹型の溝の中で経過させてこの時期に発生する強い風や降霜の被害を軽減することができる鎮圧ローラ用鎮圧リングを提供する。【解決手段】畑作物播種機による播種と覆土が終了した後で、畦上を鎮圧して成畦する際の鎮圧ローラ２中央部に、該鎮圧ローラの外周に見合った内周と一定の厚さ及び幅をもって断面が台形となるリング１を嵌め込み鎮圧リング付ローラを構成する。該鎮圧リング付ローラを畦上で輪転させると、畦上中央部の播種列上面に凹型の浅く細い溝を成型する事ができる。【選択図】図８
0003149373.tif 000002
【実用新案登録請求の範囲】
【請求項１】
畑作物播種機による播種と覆土が終了した後で畦上を鎮圧して成畦する際の鎮圧ローラ中央部に、該鎮圧ローラの外周に見合った内周と一定の厚さ及び幅をもって断面が台形となるリングを嵌め込み該畦上を輪転鎮圧すると、畦上中央部の播種列上面に凹型の浅く細い溝を成型する事ができる鎮圧リング。
【考案の詳細な説明】
【技術分野】
【０００１】
本考案は、畑作物播種機による播種と覆土が終了した後に該播種機の一部である平滑な面を持った鎮圧ローラによって畦上全体が平坦に成畦されるが、このときに畦上の該播種列上面に浅く細い凹型の溝を成型する事によって、該種子列と土壌との密着性と集水性が高められ、必要な水分と地温を吸収して早期に斉一な発芽を促すことが出来る。更に該凹型の溝の中で出芽後の稚苗期を経過させる事により、この時期に発生する降霜や強風による障害を軽減することが可能な鎮圧リングの提供に関するものである。
【０００２】
本考案は、該播種列上面に浅く細い凹型の溝を成型する事によって、不織布等の被覆によるマルチ栽培の際に、該被覆資材と該播種列の上面に明らかな空間を確保して周辺地温の上昇を早め、出芽から稚苗期の生育促進を企図するものである。
【背景技術】
【０００３】
従来は、該播種機によって播種と覆土がされた畦列は該播種機の一部である平滑な面を持った鎮圧ローラによって畦上全体が平坦に成型されている。畦上中心部に播種時に付いた溝切りコルターの筋が残りこの部分の鎮圧が不十分になっている。要点である種子と土壌との密着性や集水性が不十分であって発芽が不揃いになったり、地表が平坦なため出芽後に稚苗が吹きさらしになってこの時期に発生する強い風や降霜の被害を受け易い状態になっている。
【考案の開示】
【考案が解決しようとする課題】
【０００４】
該播種機によって播種と覆土がされた後、鎮圧ローラによって平坦に鎮圧されると同時に畦上の中央線に沿って浅く細い凹型の溝を成型する器具を該鎮圧ローラに嵌め込み、種子周辺が局所的に強く鎮圧され種子と土壌の密着性及び集水性が高められ、発芽の促進と出芽後の稚苗期を凹型の溝の中で経過させてこの時期に発生する強い風や降霜の被害を軽減する。
【課題を解決するための手段】
【０００５】
該播種機の一部である平滑な面を持った鎮圧ローラの外周に見合った内周と一定の厚さ及び幅をもって断面が台形となるリングを該鎮圧ローラの中央部に嵌め込み該畦上を輪転鎮圧した後、該畦上中央の播種列上面に凹型の浅く細い溝を成型する請求項１に記載する鎮圧リングを提供する。
【考案の効果】
【０００６】
本考案による鎮圧リングを既存の鎮圧ローラと接合して、種子列上面に凹型の溝を形成する事により種子と土壌との密着性と集水生が高まり、必要な水分と地温を吸収して早期に斉一な発芽を促すと共に、出芽後の稚苗期を該凹型の溝の中で経過させることにより、この時期に発生する降霜や強風による障害を軽減することが出来る。
【０００７】
本考案により、種子列上面に該凹型の溝を形成する事により不織布等の被覆によるマルチ栽培の際に被覆資材と種子列上面の凹型溝により明らかな空間が確保され、この空間による昇温効果によって周辺地温の上昇を早め、発芽から稚苗期の生育促進が図られる。
【考案を実施するための最良の形態】
【０００８】
【実施例】
【０００９】
以下、本考案の実施の形態を図1〜図１２に基づいて符号を付して説明する。
【００１０】
図１、図２、図３、図４は、鎮圧リング１の視点を変えてそれぞれの形状を示している。鎮圧による凹型溝の形成時に土砂の付着を軽減することや、図５の播種装置ユニット３から鎮圧輪２を外して該鎮圧リング１を嵌め込むときに程々の柔軟性と伸縮性が必要なため軟質系ゴム材を選択し、図４の如く継ぎ目無しのリング加工を行う。
【００１１】
図５において、該播種装置ユニット３の１ユニット当りの構成は播種部５、溝切り部６、覆土コルター７、鎮圧輪２及びこれらを支持する架枠３a、３bによって構成されている概略図を示した。通常、１台当り４ユニットが連結されて播種作業が行われる。
【００１２】
図５において、架枠３a、３bに軸４aと軸穴４c及び軸留めナット４ｂによって保持されている鎮圧ローラ２は軸４aを引き抜くことによって取外し、図６の如く単体になる。
【００１３】
図６において、図４の鎮圧リング１を鎮圧ローラ２の端から嵌め込み、図７の如く鎮圧ローラ８とする。
【００１４】
図８において、鎮圧リング１が装着された鎮圧ローラ８を該播種装置ユニット３に戻し固定する。
【００１５】
該播種装置ユニット３に鎮圧ローラ軸４aが溶着されている場合や、鎮圧輪２を組み込んだ状態で鎮圧リング１を装着する場合は、鎮圧リング１の一箇所を切断してベルト状にしたものを鎮圧ローラ２の中央部分に巻く様に当てがい両端部分を強く引き合せながら、接合部品若しくは接着剤によって接合する。
【００１６】
図９においては、該播種装置ユニット３により４畦に播種された種子列９と鎮圧リング１が装着された鎮圧ローラ８によって種子列９の上面に浅く細い凹状の溝が鎮圧成型された畦とそれぞれの畦間１２の断面を示している。
【００１７】
図１０においては、該播種機によって４畦に播種された種子列９と鎮圧リング１が装着されていない鎮圧輪２によって種子列９の上面が平坦に成畦された畦とそれぞれの畦間１２の断面を示している。
【００１８】
図１１においては、図９の通り種子列９の上面に浅く細い凹状の溝が鎮圧成畦された畦とそれぞれの畦間１２に不織布等マルチ資材１３を被覆した状態の断面を示している。畦間１２と共に畦上１４に空間が作られており、この空間による畦上１４即ち種子列９の上面の地温上昇が早まり発芽と初期成育の促進が期待出来る。
【００１９】
図１２においては、該播種機によって４畦列に播種された種子列９と種子列９の上面が平坦に成畦された畦とそれぞれの畦間１２に不織布等マルチ資材１３を被覆した状態の断面を示している。畦間１２には空間が出来るが、畦上の播種列上面には空間がなく該マルチ資材１３が密接した状態になっており、作物が発芽してから地表に出てくる稚苗期に該マルチ資材１３に直接触れたり風によるはためきで生育に影響を受けることがある。
【図面の簡単な説明】
【００２０】
以下、本考案による鎮圧リングの図面について説明する。
【図１】鎮圧リングを表す斜視図であってその記号を示す。
【図２】鎮圧リングの斜視図と断面図であってその記号を示す。
【図３】鎮圧リングを表す正面図であってその記号を示す。
【図４】鎮圧リングを表す側面図であってその記号を示す。
【図５】畑作物播種機の播種部と鎮圧部を表す斜視図であって各部の記号を示す。
【図６】鎮圧ローラの斜視図であってその記号を示す。
【図７】鎮圧ローラに鎮圧リングを嵌込みした斜視図であってその記号を示す。
【図８】播種部と鎮圧リングを装着した鎮圧ローラ８を表す斜視図であって各部の記号を示す。
【図９】種子列９と鎮圧リング１が装着された鎮圧ローラ８によって種子列９の上面に凹状の溝が鎮圧成畦された畦列１０とそれぞれの畦間１２の断面図であって各部位の記号を示す。
【図１０】種子列９と鎮圧リング１が装着されていない鎮圧ローラ８によって種子列９の上面が平坦に鎮圧成畦された畦列１１とそれぞれの畦間１２の断面図であって各部位の記号を示す。
【図１１】図９に示す該畦列１０とそれぞれの該畦間１２にマルチ資材を被覆した状態の断面図であって各部位の記号を示す。
【図１２】図１０に示す該畦列１１とそれぞれの該畦間１２にマルチ資材を被覆した状態の断面図であって各部位の記号を示す。
【符号の説明】
【００２１】
１      鎮圧リング
２      鎮圧ローラ
３      播種装置ユニット
３a     鎮圧ローラ縦支持枠
３b     鎮圧ローラ横支持枠
４a     鎮圧ローラ回転軸
４b     鎮圧ローラ回転軸止めナット
４C     鎮圧ローラ回転軸穴
５      種子ボックス及ぶ播種装置
６      溝切りコルター
７      覆土コルター
８      鎮圧リングを装着した鎮圧ローラ
９      播種された種子列
１０      鎮圧リングを装着した鎮圧ローラで成型された凹状の畦列
１１      慣行法による平滑ローラで成型された畦列
１２      畦間                          
１３      不織布等マルチ資材
１４      被覆資材と成型された凹状の溝によって空間が存在する状態。            
１５      平面に成型された畦上のため被覆資材との間に空間が出来ない状態。                  
【図１】
0003149373.tif 000003
【図２】
0003149373.tif 000004
【図３】
0003149373.tif 000005
【図４】
0003149373.tif 000006
【図５】
0003149373.tif 000007
【図６】
0003149373.tif 000008
【図７】
0003149373.tif 000009
【図８】
0003149373.tif 000010
【図９】
0003149373.tif 000011
【図１０】
0003149373.tif 000012
【図１１】
0003149373.tif 000013
【図１２】
0003149373.tif 000014